(57)【要約】【課題】ダブルタッチ式電子装置及びその操作方法を提供する。【解決手段】ダブルタッチ式電子装置は、ホスト本体と、保護カバーと、第１プロセッサと、を備える。ホスト本体は、前面フレーム及び背面カバーを有するケースと、第１表示スクリーンと、を含む。第１表示スクリーンは、前面フレームから露出するようにケース内に設けられており、第１表示画面を表示することに用いられる。保護カバーは、第２表示スクリーンを含み、背面カバーに取外し可能に固定される。第２表示スクリーンは、第２表示画面を表示することに用いられる。第１プロセッサは、第１表示スクリーンと第２表示スクリーンに電気的に結合されるようにケース内に設けられる。第１プロセッサは、第２表示スクリーン及び第１表示スクリーンに入力されるコマンドによって、第２表示画面と第１表示画面を制御して、第２表示画面を第１表示画面と同じ又は異なるようにする。【選択図】図１Ａ
2013142904.tif 000002
【特許請求の範囲】
【請求項１】
前面フレーム及び背面カバーを有するケースと、前記前面フレームから露出するように前記ケース内に設けられており、第１表示画面を表示することに用いられる第１表示スクリーンと、を含むホスト本体と、第２表示画面を表示することに用いられる第２表示スクリーンを有し、前記背面カバーに取外し可能に固定される保護カバーと、前記第１表示スクリーンと前記第２表示スクリーンに電気的に結合されるように前記ケース内に設けられ、前記第２表示スクリーン及び前記第１表示スクリーンに入力されるコマンドによって、前記第２表示画面と前記第１表示画面を制御して、前記第２表示画面を前記第１表示画面と同じ又は異なるようにする第１プロセッサと、を備えるダブルタッチ式電子装置。
【請求項２】
前記保護カバーは、前記第２表示スクリーンと前記第１プロセッサに電気的に結合されており、前記第２表示スクリーンを駆動することに用いられる第２プロセッサを、更に含む請求項１に記載のダブルタッチ式電子装置。
【請求項３】
前記保護カバーは、前記第２プロセッサに電気的に結合されており、ネットワークサービスサーバーに接続されることに用いられる無線通信モジュールを更に含む請求項２に記載のダブルタッチ式電子装置。
【請求項４】
前記保護カバーは、前記第２プロセッサに電気的に結合されており、前記第２表示スクリーンに電気を供給することに用いられるバッテリーモジュールを更に含む請求項２に記載のダブルタッチ式電子装置。
【請求項５】
前記バッテリーモジュールは、充電式バッテリーを含む請求項４に記載のダブルタッチ式電子装置。
【請求項６】
前記保護カバーは、前記第２プロセッサに電気的に結合されるマイクロプロジェクターモジュールを更に含む請求項２に記載のダブルタッチ式電子装置。
【請求項７】
前記保護カバーは、前記第２プロセッサに電気的に結合されるフロントライトモジュールを更に含む請求項２に記載のダブルタッチ式電子装置。
【請求項８】
前記保護カバーは、前記第２プロセッサに電気的に結合される近距離無線通信モジュールを更に含む請求項２に記載のダブルタッチ式電子装置。
【請求項９】
前記保護カバーは、背面カバーの保護カバー又はバッテリーの保護カバーである請求項１に記載のダブルタッチ式電子装置。
【請求項１０】
前記第１表示スクリーンは、液晶パネル、双安定表示装置、又は発光ダイオードパネルを含み、前記第２表示スクリーンは、液晶パネル、双安定表示装置、又は発光ダイオードパネルを含む請求項１に記載のダブルタッチ式電子装置。
【請求項１１】
前記第１表示スクリーンと前記第２表示スクリーンは、選択的にタッチパネルである請求項１に記載のダブルタッチ式電子装置。
【請求項１２】
前記第１表示スクリーンと前記第２表示スクリーンは、フレキシブルスクリーンである請求項１に記載のダブルタッチ式電子装置。
【請求項１３】
第１表示スクリーンを有するホスト本体を提供するステップと、第２表示スクリーンを有する保護カバーを提供するステップと、前記保護カバーを前記ホスト本体に取外し可能に固定して、前記第２表示スクリーンを前記第１表示スクリーンに電気的に結合するステップと、コマンドを前記第１表示スクリーン又は前記第２表示スクリーンに入力するステップと、前記第１表示スクリーンと前記第２表示スクリーンに対して、同期更新・同期表示、非同期更新・非同期表示、同期更新・非同期表示、又は非同期更新・同期表示を行うステップと、を備えるダブルタッチ式電子装置の操作方法。
【請求項１４】
前記ホスト本体を介してネットワークサービスサーバーに接続されることで、前記第１表示スクリーン又は前記第２表示スクリーンに、前記ネットワークサービスサーバーに提供される情報を表示させるステップを、更に備える請求項１３に記載のダブルタッチ式電子装置の操作方法。
【請求項１５】
前記第１表示スクリーン又は前記第２表示スクリーンでの動作を検知して、前記動作が前記ホスト本体に保存されるタッチコマンドと対応する場合、前記第１表示スクリーン又は前記第２表示スクリーンは、前記タッチコマンドを実行するステップを、更に備える請求項１３に記載のダブルタッチ式電子装置の操作方法。
【請求項１６】
前記タッチコマンドは、ジェスチャーによるページめくり、コンテンツのドラック又は移動、コンテンツのズーム、コンテンツのスライド、スライド又は移動によるロック解除、マルチタッチ、を含む請求項１５に記載のダブルタッチ式電子装置の操作方法。
【請求項１７】
前記第１表示スクリーンと前記第２表示スクリーンに対して、同期更新・同期表示を行うステップは、前記第１表示スクリーン又は前記第２表示スクリーンを単独的に操作して、かつ前記第１表示スクリーンと前記第２表示スクリーンに同じ画面が表示されるステップ、  を備える請求項１３に記載のダブルタッチ式電子装置の操作方法。
【請求項１８】
前記第１表示スクリーンと前記第２表示スクリーンに対して、非同期更新・非同期表示を行うステップは、前記第１表示スクリーンと前記第２表示スクリーンを同時に操作して、かつ前記第１表示スクリーンと前記第２表示スクリーンに異なる画面が表示されるステップ、を備える請求項１３に記載のダブルタッチ式電子装置の操作方法。
【請求項１９】
前記第１表示スクリーンと前記第２表示スクリーンに対して、同期更新・非同期表示を行うステップは、前記第１表示スクリーンと前記第２表示スクリーンを同時に操作して、かつ前記第１表示スクリーンと前記第２表示スクリーンに一部の同じ画面と一部の異なる画面が表示されるステップを、備える請求項１３に記載のダブルタッチ式電子装置の操作方法。
【請求項２０】
前記第１表示スクリーンと前記第２表示スクリーンに対して、非同期更新・同期表示を行うステップは、前記第１表示スクリーン又は前記第２表示スクリーンを単独的に操作して、かつ前記第１表示スクリーンと前記第２表示スクリーンに異なる画面が表示されるステップを、備える請求項１３に記載のダブルタッチ式電子装置の操作方法。
【発明の詳細な説明】
【技術分野】
【０００１】
本発明は、ダブルタッチ式電子装置及びその操作方法に関する。
【背景技術】
【０００２】
現在の様々な消耗性電子製品の市場において、タッチスクリーンは、ユーザーと電子装置との間の主なコミュニケーション素子として、例えば、個人用の携帯情報端末（Ｐｅｒｓｏｎａｌ  Ｄｉｇｉｔａｌ  Ａｓｓｉｓｔａｎｔ；ＰＤＡ）、携帯電話、衛星誘導システム又はタブレットコンピュータのようなポータブル電子装置に広く応用されている。タッチスクリーンを有する電子装置を使用する場合、ユーザーは、直接的にタッチスクリーンでコマンドを入力することができ、キーでコマンドを入力する必要はなくなり、電子装置をより直感的にさせる。
【０００３】
近年、タッチスクリーンとしては、よく見掛けられる抵抗式タッチパネルと静電容量式タッチパネルのほか、例えば、電気泳動表示装置のような双安定表示装置もある。電気泳動表示装置は、可撓性を有し、かつ複数のマイクロカプセルを有する電子インク層を含む。各マイクロカプセル内には、異色の正負電荷（例えば、黒色と白色）及び透明流体を有する。電気泳動表示装置内部の電場が変わると、異色の正負電荷は、電場の方向によって上向け又は下向けに移動して、更に各マイクロカプセルを異なる色（例えば、黒色と白色）にする。従って、ユーザーは、電気泳動表示装置に表示される画面を見ることができる。
【発明の概要】
【発明が解決しようとする課題】
【０００４】
一般的には、従来のポータブル電子装置は、ケースと、タッチスクリーンと、を備える。タッチスクリーンは、ケースの一面から露出するように、ケースの中に位置する。使用する場合、電子装置は、単一のタッチスクリーンのみを有するため、一人での使用しか対応できない。例としては、別のユーザーが一緒に観覧しようとする場合、このタッチスクリーンのそばだけで観覧するため、はっきりしている画像が見られない。また、例えば、別のユーザーが電子装置を操作しようとする場合、この電子装置を当該ユーザーに渡して操作してもらうほかなくて、不便になる。
【課題を解決するための手段】
【０００５】
本発明の一技術態様は、ダブルタッチ式電子装置である。
【０００６】
本発明の一実施形態によると、ダブルタッチ式電子装置は、ホスト本体と、保護カバーと、第１プロセッサと、を備える。ホスト本体は、ケースと、第１表示スクリーンと、を含む。ケースは、前面フレーム及び背面カバーを有する。第１表示スクリーンは、前面フレームから露出するようにケース内に設けられており、第１表示画面を表示することに用いられる。保護カバーは、第２表示画面を表示することに用いられる第２表示スクリーンを有し、背面カバーに取外し可能に固定される。第１プロセッサは、第１表示スクリーンと第２表示スクリーンに電気的に結合されるようにケース内に設けられる。第１プロセッサは、第２表示スクリーン及び第１表示スクリーンに入力されるコマンドによって、第２表示画面と第１表示画面を制御して、第２表示画面を第１表示画面と同じ又は異なるようにする。
【０００７】
本発明の一技術態様は、ダブルタッチ式電子装置の操作方法である。
【０００８】
本発明の一実施形態によると、ダブルタッチ式電子装置の操作方法は、第１表示スクリーンを有するホスト本体を提供するステップと、第２表示スクリーンを有する保護カバーを提供するステップと、保護カバーをホスト本体に取外し可能に固定して、第２表示スクリーンを第１表示スクリーンに電気的に結合するステップと、コマンドを第１表示スクリーン又は第２表示スクリーンに入力するステップと、第１表示スクリーンと第２表示スクリーンに対して、同期更新・同期表示、非同期更新・非同期表示、同期更新・非同期表示、又は非同期更新・同期表示を行うステップと、を備える。
【０００９】
本発明の上記実施形態において、第２表示スクリーンを有する保護カバーが背面カバーに固定される場合、第１表示スクリーンと第２表示スクリーンは、別々に第１プロセッサに電気的に結合されることができる。このように、第１プロセッサは、第２表示スクリーン及び第１表示スクリーンに入力されるコマンドによって、第２表示画面と第１表示画面を制御することができる。つまり、このダブルタッチ式電子装置は、ホスト本体から取外し可能な保護カバーによって第２表示スクリーンを提供することで、ダブルタッチ式電子装置の一人又は数人による使用を可能にする。
【発明の効果】
【００１０】
例として、１人のユーザーに使用される場合、ホスト本体は、保護カバーと結び付けなくてもよく、この時、第１表示スクリーンを有するホスト本体は単独で動作できる。２人のユーザーに使用される場合、保護カバーは、ホスト本体のケースの背面カバーに固定することができ、この時、第２表示スクリーンと第１表示スクリーンを、ユーザーの要求に応じて、第１プロセッサによって同期更新・同期表示、非同期更新・非同期表示、同期更新・非同期表示、又は非同期更新・同期表示に設定されることができる。従って、この２つのユーザーは、このダブルタッチ式電子装置を同時に観覧し、又は操作することができる。
【図面の簡単な説明】
【００１１】
【図１Ａ】本発明の一実施形態によるダブルタッチ式電子装置を示す分解図である。
【図１Ｂ】図１Ａに示したダブルタッチ式電子装置の保護カバーがホスト本体に固定された後の状態を示す側面図である。
【図２】図１Ａに示した保護カバーを示す斜視図である。
【図３】本発明の一実施形態によるダブルタッチ式電子装置を示すブロック図である。
【図４】本発明の一実施形態によるダブルタッチ式電子装置を示すブロック図である。
【図５】本発明の一実施形態によるダブルタッチ式電子装置を示すブロック図である。
【図６】本発明の一実施形態によるダブルタッチ式電子装置を示すブロック図である。
【図７】本発明の一実施形態によるダブルタッチ式電子装置を示すブロック図である。
【図８】本発明の一実施形態によるダブルタッチ式電子装置を示すブロック図である。
【図９】本発明の一実施形態によるダブルタッチ式電子装置を示すブロック図である。
【図１０】ネットワークサービスサーバーに接続された、本発明の一実施形態によるダブルタッチ式電子装置を示すブロック図である。
【図１１】図１Ｂに示したダブルタッチ式電子装置を操作する場合のフローを示す図である。
【図１２】図１Ｂに示したダブルタッチ式電子装置をネットワークサービスサーバーに接続する場合のフローを示す図である。
【発明を実施するための形態】
【００１２】
以下、図面で本発明の複数の実施形態を開示し、明確に説明するために、数多くの実務上の細部を下記叙述で合わせて説明する。しかしながら、理解すべきなのは、これらの実務上の細部が、本発明を限定するためのものではない。つまり、本発明の実施形態の一部において、これらの実行上の細部は、必要としない。また、図面を簡略化するために、従来慣用の構造及び素子は、図面において簡単で模式的に示される。
【００１３】
図１Ａは、本発明の一実施形態によるダブルタッチ式電子装置１００を示す分解図である。図１Ｂは、図１Ａに示したダブルタッチ式電子装置１００の保護カバー１２０がホスト本体１１０に固定された後の状態を示す側面図である。図１Ａと図１Ｂを同時に参照して、ダブルタッチ式電子装置１００は、ホスト本体１１０と、保護カバー１２０と、第１プロセッサ１１６と、を備える。ホスト本体１１０は、ケース１１２と、第１表示スクリーン１１４と、を含む。ケース１１２は、前面フレーム１１１及び背面カバー１１３を有する。第１表示スクリーン１１４は、前面フレーム１１１から露出するようにケース１１２内に設けられており、第１表示画面を表示することに用いられる。第１プロセッサ１１６は、ケース１１２内に設けられ、かつ第１表示スクリーン１１４に電気的に結合される。ホスト本体１１０は、独立して動作可能な電子装置である。
【００１４】
図２は、図１Ａに示した保護カバー１２０を示す斜視図である。図１Ａと図２を同時に参照して、保護カバー１２０は、背面カバー１１３に取外し可能に固定され、かつ第２表示スクリーン１２２を有する。本文において、第１表示スクリーン１１４と第２表示スクリーン１２２を、選択的にタッチパネルにしてよい。つまり、設計者の実際の要求に応じて、第１表示スクリーン１１４と第２表示スクリーン１２２を、何れもタッチスクリーンにし、又はその中の何れかをタッチスクリーンにしてよく、本発明はこれに制限されない。
【００１５】
保護カバー１２０が背面カバー１１３に固定される場合、第２表示スクリーン１２２は、フレキシ回路基板１２３によって第１プロセッサ１１６に電気的に結合されており、第２表示画面を表示することに用いられる。第１プロセッサ１１６は、第２表示スクリーン１２２及び第１表示スクリーン１１４に入力されるコマンドによって、第２表示画面と第１表示画面を制御して、第２表示画面を第１表示画面と同じ又は異なるようにすることができる。例としては、第２表示スクリーン１２２と第１表示スクリーン１１４は、第１プロセッサ１１６又はホスト本体１１０に保存されるソフトウェアによって、同期更新・同期表示、非同期更新・非同期表示、同期更新・非同期表示、又は非同期更新・同期表示に設定されることができる。
【００１６】
第１表示スクリーン１１４と第２表示スクリーン１２２の同期更新・同期表示とは、ユーザーが第１表示スクリーン１１４又は第２表示スクリーン１２２を単独的に操作することができ、かつ第１表示スクリーン１１４と第２表示スクリーン１２２に同じ画面が表示される意味である。つまり、第２表示画面と第１表示画面とは鏡像となり、第１表示スクリーン１１４又は第２表示スクリーン１２２の何れかを操作するだけで、この表示効果に達すことができる。同期更新・同期表示を使用する時機としては、例えば、ユーザーがある製品を向かい側に位置する消費者に紹介する場合、又はユーザーが向かい側に位置する別の人に一緒に映画を観覧させる場合が挙げられる。
【００１７】
また、第１表示スクリーン１１４と第２表示スクリーン１２２の非同期更新・非同期表示とは、ユーザーが第１表示スクリーン１１４と第２表示スクリーン１２２を同時に操作することができ、かつ第１表示スクリーン１１４と第２表示スクリーン１２２に異なる画面が表示される意味である。つまり、第２表示画面と第１表示画面とは、互いに邪魔せずに、それぞれ独立な画像となるため、ユーザーが、第１表示スクリーン１１４と第２表示スクリーン１２２を別々に操作することができる。非同期更新・非同期表示を使用する時機としては、例えば、１人のユーザーがウェブページを閲覧しようとするが、別のユーザーが映画を観覧しようとする場合が挙げられ、その２人のユーザーは、第１表示スクリーン１１４と第２表示スクリーン１２２を別々に操作することができる。
【００１８】
なお、第１表示スクリーン１１４と第２表示スクリーン１２２の同期更新・非同期表示とは、ユーザーが第１表示スクリーン１１４と第２表示スクリーン１２２を同時に操作することができ、かつ第１表示スクリーン１１４と第２表示スクリーン１２２に、一部の同じ画面と一部の異なる画面が表示される意味である。つまり、第２表示画面と第１表示画面は異なっているが、画面の一部が同期的に更新することができる。同期更新・非同期表示を使用する時機としては、例えば、２人のユーザーがダブルスゲームをする場合（例えば、レースゲームとボールゲーム）が挙げられ、その２人のユーザーは、第１表示スクリーン１１４と第２表示スクリーン１２２を別々に操作することができる。
【００１９】
また、第１表示スクリーン１１４と第２表示スクリーン１２２の非同期更新・同期表示とは、ユーザーが第１表示スクリーン１１４又は第２表示スクリーン１２２を単独的に操作することができ、かつ第１表示スクリーン１１４と第２表示スクリーン１２２に異なる画面が表示されるという意味である。非同期更新・同期表示を使用する時機としては、例えば、ユーザーが第２表示スクリーン１２２のデスクトップの壁紙を変更せずに、第１表示スクリーン１１４のデスクトップの壁紙のみを変更する場合が挙げられる。
【００２０】
具体的には、第２表示スクリーン１２２を有する保護カバー１２０が背面カバー１１３に固定される場合、第１表示スクリーン１１４と第２表示スクリーン１２２の何れも、第１プロセッサ１１６に電気的に結合される。つまり、このダブルタッチ式電子装置１００は、ホスト本体１１０から取外し可能な保護カバー１２０によって第２表示スクリーン１２２を提供することで、ダブルタッチ式電子装置１００の一人又は数人による使用を可能にする。
【００２１】
例としては、１人のユーザーに使用される場合、ホスト本体１１０は、保護カバー１２０と結び付けなくてもよく、この時、第１表示スクリーン１１４を有するホスト本体１１０は単独で動作し操作できる。２人のユーザーに使用される場合、保護カバー１２０は、ホスト本体１１０のケース１１２の背面カバー１１３に固定することができ、この時、ユーザーの要求に応じて、第２表示スクリーン１２２と第１表示スクリーン１１４を、第１プロセッサ１１６によって同期更新・同期表示、非同期更新・非同期表示、同期更新・非同期表示、又は非同期更新・同期表示に設定されることができる。従って、この２つのユーザーは、このダブルタッチ式電子装置１００を同時に観覧し、又は操作することができる。
【００２２】
また、ダブルタッチ式電子装置１００を操作する場合、第１表示スクリーン１１４と第２表示スクリーン１２２は、それぞれでの動作を検知することができる。この動作がホスト本体１１０に保存されるタッチコマンドと対応する場合、第１表示スクリーン１１４又は第２表示スクリーン１２２は、このタッチコマンドを実行する。例としては、第１表示スクリーン１１４と第２表示スクリーン１２２は、カスタマイズ設定された後で、ホスト本体１１０又は保護カバー１２０に保存されるタッチコマンドに、ジェスチャーによるページめくり、コンテンツのドラック又は移動、コンテンツのズーム、コンテンツのスライド、スライド又は移動によるロック解除（ｕｎｌｏｃｋｉｎｇ  ｂｙ  ｇｅｓｔｕｒｅ）、マルチタッチ（ｍｕｌｔｉ‐ｔｏｕｃｈ）等の機能を含ませることができる。ユーザーは、同じ又は異なるタッチコマンドを、ホスト本体１１０又は保護カバー１２０に同期的又は非同期的に入力することができる。また、ユーザーの動作としては、１本の指でのスライド、２本の指でのスライド、シングルクリック、又はダブルクリックを含んでよい。
【００２３】
この実施形態において、ホスト本体１１０は、携帯電話又はタブレットコンピュータであってよい。保護カバー１２０は、携帯電話又はタブレットコンピュータの背面カバーの保護カバー又はバッテリーの保護カバーであってよい。第１表示スクリーン１１４と第２表示スクリーン１２２は、液晶パネル、双安定表示装置又は発光ダイオード表示パネルであってよく、かつ第１表示スクリーン１１４と第２表示スクリーン１２２は、フレキシブルスクリーンであってよい。第１表示スクリーン１１４と第２表示スクリーン１２２は、設計者の実際の要求に応じて、モニターとタッチパネルから結合されたもの、又は内蔵式のタッチパネルであってよく、音声コントロール機能を有してもよい。また、保護カバー１２０が可撓性を有すれば、ホスト本体１１０に容易に固定され又はそこから取り外すことができるため、第２表示スクリーン１２２は、例えば、電気泳動表示装置（Ｅｌｅｃｔｒｏｐｈｏｒｅｔｉｃ  Ｄｉｓｐｌａｙ；ＥＰＤ）のような、可撓性を有する双安定（ｂｉ‐ｓｔａｂｌｅ）表示装置であることが好ましい。このように、保護カバー１２０をホスト本体１１０に固定し又はそこから取り外す場合、破裂させないようにするができる。
【００２４】
図３は、本発明の一実施形態によるダブルタッチ式電子装置１００を示すブロック図である。この実施形態において、第１表示スクリーン１１４と第２表示スクリーン１２２は、別々に第１プロセッサ１１６に電気的に結合されることで、第１プロセッサ１１６が第２表示スクリーン１２２又は第１表示スクリーン１１４に入力されるコマンドによって第２表示画面と第１表示画面を制御できるようになる。第１プロセッサ１１６は、ホスト本体１１０内に設置されるソフトウェアに合わせて運行することができる。
【００２５】
図４は、本発明の一実施形態によるダブルタッチ式電子装置１００を示すブロック図である。保護カバー１２０が第２プロセッサ１２４を更に含むことで、上記の実施形態と異なっている。第２プロセッサ１２４は、第２表示スクリーン１２２と第１プロセッサ１１６に電気的に結合され、かつ第２プロセッサ１２４は表示とタッチの機能を有し、第２表示スクリーン１２２を駆動することができる。
【００２６】
図５は、本発明の一実施形態によるダブルタッチ式電子装置１００を示すブロック図である。保護カバー１２０が無線通信モジュール１２８を更に含むことで、上記の実施形態と異なっている。無線通信モジュール１２８は、第２プロセッサ１２４に電気的に結合されており、ネットワークサービスサーバー（後で説明される）に接続されることに用いられる。
【００２７】
図６は、本発明の一実施形態によるダブルタッチ式電子装置１００を示すブロック図である。保護カバー１２０がバッテリーモジュール１３２を更に含むことで、上記の実施形態と異なっている。バッテリーモジュール１３２は、第２プロセッサ１２４に電気的に結合されており、第２表示スクリーン１２２に電気を供給することに用いられる。また、バッテリーモジュール１３２は、充電式バッテリーを含んでよい。
【００２８】
図７は、本発明の一実施形態によるダブルタッチ式電子装置１００を示すブロック図である。保護カバー１２０がマイクロプロジェクターモジュール１３４を更に含むことで、上記の実施形態と異なっている。マイクロプロジェクターモジュール１３４は、第２プロセッサ１２４に電気的に結合される。
【００２９】
図８は、本発明の一実施形態によるダブルタッチ式電子装置を示すブロック図である。保護カバー１２０がフロントライト（ｆｒｏｎｔ‐ｌｉｇｈｔ）モジュール１３６を更に含むことで、上記の実施形態と異なっている。フロントライトモジュール１３６は、第２プロセッサ１２４に電気的に結合されており、第２表示スクリーン１２２に光源を提供することに用いられる。
【００３０】
図９は、本発明の一実施形態によるダブルタッチ式電子装置を示すブロック図である。保護カバー１２０が近距離無線通信（Ｎｅａｒ  Ｆｉｅｌｄ  Ｃｏｍｍｕｎｉｃａｔｉｏｎ；ＮＦＣ）モジュール１３８を更に含むことで、上記の実施形態と異なっている。近距離無線通信モジュール１３８は、第２プロセッサ１２４に電気的に結合されて、保護カバー１２０と他の装置とのデータ伝送を可能にする。
【００３１】
理解すべきなのは、上記の第２プロセッサ１２４、無線通信モジュール１２８、バッテリーモジュール１３２、マイクロプロジェクターモジュール１３４、フロントライトモジュール１３６、近距離無線通信モジュール１３８が、選択的に保護カバー１２０に設けられることができるだけではなく、設計者の実際の要求に応じて、ホスト本体１１０も、第２プロセッサ１２４、無線通信モジュール１２８、バッテリーモジュール１３２、マイクロプロジェクターモジュール１３４、フロントライトモジュール１３６、近距離無線通信モジュール１３８を選択的に含むことができるが、本発明はこれに制限されない。
【００３２】
図９における無線通信モジュール１２８、バッテリーモジュール１３２、マイクロプロジェクターモジュール１３４、フロントライトモジュール１３６、近距離無線通信モジュール１３８は、第１プロセッサ１１６に接続されるように、ホスト本体１１０の中に配置されてもよい。
【００３３】
また、第２表示スクリーン１２２は、電子書籍（ｅ‐ｂｏｏｋ）、気象情報（ｗｅａｔｈｅｒ）、ショートメッセージサービス（Ｓｈｏｒｔ  Ｍｅｓｓａｇｅ  Ｓｅｒｖｉｃｅ；ＳＭＳ）、地図（ｍａｐ）、ロケーションベースサービス（ｌｏｃａｔｉｏｎ  ｂａｓｅ  ｓｅｒｖｉｃｅ）、電子チケット（ｅ‐ｔｉｃｋｅｔ  ｏｒ  ｃｏｕｐｏｎ）、広告、電子商取引（ＮＦＣ）、マイクロプロジェクター（ｍｉｃｒｏ‐ｐｒｏｊｅｃｔｏｒ）、フロントライト源（ｆｒｏｎｔ‐ｌｉｇｈｔ）等の機能を表示することができる。
【００３４】
図１０は、ネットワークサービスサーバー１５０に接続された、本発明の一実施形態によるダブルタッチ式電子装置１００を示すブロック図である。ホスト本体１１０及び保護カバー１２０は、それぞれ無線通信インタフェース１４０によってネットワークサービスサーバー１５０に接続されることができる。つまり、ホスト本体１１０及び保護カバー１２０は、それぞれ情報をシステムプロバイダ１６０によって提供されるネットワークサービスサーバー１５０にダウンロードし又はアップロードすることができる。また、ダブルタッチ式電子装置１００は、ホスト本体１１０のみによってネットワークサービスサーバー１５０に接続されて、ホスト本体１１０内に設置されるソフトウェアによって、第１表示スクリーン１１４又は第２表示スクリーン１２２に、ネットワークサービスサーバー１５０の提供する情報を表示させてもよい。その内、図１０における保護カバー１２０のブロック図は、図３及び図５〜図９の保護カバー１２０のブロック図の可能な順列と組み合わせであってもよい。
【００３５】
例としては、ネットワークサービスサーバー１５０は、ダブルタッチ式電子装置１００に、ショートメッセージサービス（Ｓｈｏｒｔ  Ｍｅｓｓａｇｅ  Ｓｅｒｖｉｃｅ；ＳＭＳ）、気象情報、電子メール（ｅ‐ｍａｉｌ）、電子書籍（ｅ‐ｂｏｏｋ）、広告、電子商取引、電子チケット（ｅ‐ｔｉｃｋｅｔ）の機能を提供することができる。これ以外、システムプロバイダ１６０は、テレコムオペレーター、ソフトウェアデベロッパー又は携帯電話サプライヤーであってよい。
【００３６】
理解すべきなのは、以下の叙述において、既に述べた素子の接続関係については、ここで繰り返して説明せず、ダブルタッチ式電子装置１００の操作方法しか説明しないことに注意されたい。
【００３７】
図１１は、図１Ｂに示したダブルタッチ式電子装置１００を操作する場合のフローを示す図である。まず、ステップＳ１において、第１表示スクリーンを有するホスト本体を提供する。続いて、ステップＳ２において、第２表示スクリーンを有する保護カバーを提供する。その後、ステップＳ３において、保護カバーをホスト本体に取外し可能に固定して、第２表示スクリーンを第１表示スクリーンに電気的に結合する。次に、ステップＳ４において、コマンドを第１表示スクリーン又は第２表示スクリーンに入力する。最後、ステップＳ５において、第１表示スクリーンと第２表示スクリーンに対して、同期更新・同期表示、非同期更新・非同期表示、同期更新・非同期表示、又は非同期更新・同期表示を行う。
【００３８】
図１２は、図１Ｂに示したダブルタッチ式電子装置１００をネットワークサービスサーバー１５０（図１０参照）に接続する場合のフローを示す図である。まず、ステップＳ１において、コマンドを第１表示スクリーン又は第２表示スクリーンに入力する。続いて、ステップＳ２において、ホスト本体内に設置されるソフトウェアが動作し始める。その後、ステップＳ３において、ネットワークサービスサーバーに接続されてコマンドを実行する。次に、ステップＳ４において、ネットワークサービスサーバーに提供される情報を、第１表示スクリーン又は第２表示スクリーンに表示する。最後、ステップＳ５において、コマンドが終わり、次のコマンドを受信する準備ができた。
【００３９】
従来の技術に比べると、本発明の上記の実施形態は、少なくとも以下のいずれかのメリットを有する。
【００４０】
（１）第２表示スクリーンを有する保護カバーが背面カバーに固定される場合、第１表示スクリーンと第２表示スクリーンは、別々に第１プロセッサに電気的に結合されることで、第１プロセッサが第２表示スクリーン又は第１表示スクリーンに入力されるコマンドによって第２表示画面と第１表示画面を制御することができる。
【００４１】
（２）第２表示スクリーンと第１表示スクリーンを、ユーザーの要求に応じて、第１プロセッサによって同期更新・同期表示、非同期更新・非同期表示、同期更新・非同期表示、又は非同期更新・同期表示に設定されることができる。
【００４２】
（３）保護カバーは、第２表示スクリーンを有するほかに、無線通信モジュール、バッテリーモジュール、又はその他のモジュール（例えば、マイクロプロジェクターモジュール）を選択的に有することもでき、保護カバーがホスト本体に固定される時により多くの機能を持つようになる。
【００４３】
本発明では実施形態を前述の通りに開示したが、これは本発明を限定するものではなく、当業者であれば、本発明の精神と領域から逸脱しない限り、多様の変更や修正を加えることができる。従って、本発明の保護範囲は、特許請求の範囲で指定した内容を基準とする。
【符号の説明】
【００４４】
１００  ダブルタッチ式電子装置、  １１０  ホスト本体、  １１１  前面フレーム、  １１２  ケース、  １１３  背面カバー、  １１４  第１表示スクリーン、  １１６  第１プロセッサ、  １２０  保護カバー、  １２２  第２表示スクリーン、  １２３  フレキシ回路基板、  １２４  第２プロセッサ、  １２８  無線通信モジュール、  １３２  バッテリーモジュール、  １３４  マイクロプロジェクターモジュール、  １３６  フロントライトモジュール、  １３８  近距離無線通信モジュール、  １４０  無線通信インタフェース、  １５０  ネットワークサービスサーバー、  １６０  システムプロバイダ、  Ｓ１〜Ｓ５  ステップ
【図１Ａ】
2013142904.tif 000003
【図１Ｂ】
2013142904.tif 000004
【図２】
2013142904.tif 000005
【図３】
2013142904.tif 000006
【図４】
2013142904.tif 000007
【図５】
2013142904.tif 000008
【図６】
2013142904.tif 000009
【図７】
2013142904.tif 000010
【図８】
2013142904.tif 000011
【図９】
2013142904.tif 000012
【図１０】
2013142904.tif 000013
【図１１】
2013142904.tif 000014
【図１２】
2013142904.tif 000015